(57)【要約】【課題】  水道管内における複数の位置からの採水を、簡単な構成で、かつ事故の発生の確率を低くした状態で、行えるようにする。【解決手段】  水道管内における縣濁物の捕集装置である。先端部を水道管内へ挿入可能な多重管１３を有し、この多重管１３におけるそれぞれの管１４、１５、１６の先端部１７、１８、１９が、水道管１の内部における鉛直方向に沿って異なる位置で開口している。多重管１３におけるそれぞれの管１４、１５、１６の基端部２０、２４、１６が、水道管１の外部において個別に開口している。【選択図】        図１
2006284178.tif 000002
【特許請求の範囲】
【請求項１】
先端部を水道管内へ挿入可能な多重管を有し、この多重管におけるそれぞれの管の先端部が、水道管内における鉛直方向に沿って異なる位置で開口しており、前記多重管におけるそれぞれの管の基端部が、前記水道管の外部において個別に開口していることを特徴とする水道管内における縣濁物の捕集装置。
【発明の詳細な説明】
【技術分野】
【０００１】
本発明は、水道管内における縣濁物の挙動を解明するための、水道管内における縣濁物の捕集装置に関する。
【背景技術】
【０００２】
水道管内における残留塩素濃度の測定装置として、たとえば特許文献１に示されるものがある。その概略構成を図３に示す。図３において、１は水道管で、ダクタイル鋳鉄などにより形成されて地中に水平方向に埋設されている。水道管１によって構成される管路の途中には地表２から水道管１に向けてピット３が形成され、このピット３の内部において、消火栓などを設置するための分岐管４が、水道管１に連通した状態で、この水道管１から上向きに設けられている。分岐管４には開閉弁５が接続され、この開閉弁５には、消火栓などを接続するための取付フランジ６が設けられている。
【０００３】
取付フランジ６には、消火栓などを取り外したうえで、止水リング７が接続されている。８は採水パイプで、管外から止水リング７をシール状態で貫通したうえで、開閉弁５および分岐管４を通って、その先端開口部９が水道管１の内部に挿入されている。
【０００４】
このような構成によって、水道管１を不断水とした状態で、この水道管１の内部の水を採水パイプ８を通して管外に採取することができる。これにより、特許文献１のものでは水道管１の内部における残留塩素濃度を測定できるようにされている。
【０００５】
この特許文献１に記載された装置は、水道管１の内部における縣濁物の捕集にも利用することができ、消火栓などを設置するための分岐管４に止水リング７を取り付けることによって、特別に大掛かりな工事を行わずに不断水で既存の水道管１から採水を行って縣濁物の計測を行うことができる。
【特許文献１】実開平６−３０７６８号公報
【発明の開示】
【発明が解決しようとする課題】
【０００６】
ところが、特許文献１に記載された装置では、採水パイプが１本だけなので、水道管１の内部における鉛直方向に沿った１点からしか採水することができない。水平方向に敷設された水道管１においては、その上側の部分と下側の部分との縣濁物の種類や量が異なるのが通例であり、上記のように鉛直方向に沿った１点からの採水だけでは管路内の縣濁物の挙動を十分に把握することが困難である。
【０００７】
この対策として、止水リング７にたとえば３本の採水パイプを貫通させて、それぞれの採水パイプの先端開口部が水道管１の内部における上側の部分と下側の部分と中間の部分とに位置するようにすれば、これら鉛直方向に沿って異なる３点における縣濁物を捕集することが可能となる。
【０００８】
しかし、上述の不断水の状態で３本の採水パイプを止水リング７を貫通して設置する必要があり、このため作業が煩雑になるおそれがある。のみならず、取り付け不備による事故の発生の確率が高くなる。たとえば、３本中の１本が水圧などによって外方へ抜けてしまった場合は、他の２本も抜き取らなければ開閉弁５を閉めることができない。水道管１にはかなりの水圧が掛かっており、このような事故が起きるとピット３の内部がすぐに満水になり、断水しなければならない状況が発生してしまう。
【０００９】
そこで本発明は、このような課題を解決して、水道管内における複数の位置からの採水を、簡単な構成で、かつ事故の発生の確率を低くした状態で、行えるようにすることを目的とする。
【課題を解決するための手段】
【００１０】
この目的を達成するため本発明の水道管内における縣濁物の捕集装置は、先端部を水道管内へ挿入可能な多重管を有し、この多重管におけるそれぞれの管の先端部が、水道管内における鉛直方向に沿って異なる位置で開口しており、前記多重管におけるそれぞれの管の基端部が、前記水道管の外部において個別に開口しているようにしたものである。
【発明の効果】
【００１１】
このような構成であると、１本の多重管を用いただけの簡単な構成で、水道管内における鉛直方向に沿って異なる位置でそれぞれ縣濁物を採取することができ、したがってそのための作業を煩雑でないようにすることができる。また水圧などによって多重管が水道管から抜け出しても、他に水道管内に挿入されている管がないため、即座に対応することができる。
【発明を実施するための最良の形態】
【００１２】
図１および図２において、１は地中に埋設された水平方向の水道管、２は地表、３はピット、４は分岐管、５は開閉弁、６はその取付フランジで、これらは図３に示したものと同様のものである。すなわち、分岐管４は、消火栓などを設置するためのピット３の内部において、水道管１から上方へ向けて設置されている。
【００１３】
取付フランジ６には、消火栓などを取り外したうえで、止水リング１２が接続されている。そして、この止水リング１２を貫通した状態で、１本の採水パイプ１３が設けられている。
【００１４】
採水パイプ１３は、多重管としての三重管によって構成されており、外側管１４と、この外側管１４の内側に設けられた中間管１５と、この中間管１５の内側に設けられた内側管１６とが同心状に配置されている。外側管１４は、止水リング１２との間でシールを保った状態で、この止水リング１２を貫通している。
【００１５】
採水パイプ１３は、その先端部が水道管１の内部に鉛直方向に挿入されており、この水道管１の内部における上側の部分で外側管１４の先端部が開口している。１７はその開口部である。中間管１５はその先端部が外側管１４の開口部１７から下向きに突出しており、その開口部１８は水道管１の中心部に対応した位置において開口している。内側管１６はその先端部が中間管１５の開口部１８から下向きに突出しており、その開口部１９は水道管１の内部における下側の部分で開口している。
【００１６】
水道管１の外部における止水リング１２よりも上側の部分において、外側管１４の基端部が開口している。２０はその開口部である。この開口部２０にはＴ字ジョイント２１が接続されている。このＴ字ジョイント２１は、その内部に空洞２２が形成されるとともに、この空洞部２２は開口部２０を介して外側管１４の内部に連通している。開口部２０が形成されることによって外側管１４から露出した中間管１５は、Ｔ字ジョイント２１をシール状態で上向き貫通して、このＴ字ジョイント２１よりも上側に突出している。Ｔ字ジョイント２１には採水チューブ２３が接続され、この採水チューブ２３は、空洞部２２に連通されるとともに、Ｔ字ジョイント２１への接続部とは反対側においてチューブ内部の水を取り出し可能とされている。
【００１７】
同様に、中間管１５は、Ｔ字ジョイント２１よりも上側の部分において、その基端部が開口している。２４はその開口部である。開口部２４には、内部に空洞部２６が形成されたＴ字ジョイント２５が接続されており、空洞部２６は開口部２４を介して中間管１５の内部に連通している。開口部２４が形成されることによって中間管１５から露出した内側管１６は、Ｔ字ジョイント２５をシール状態で上向き貫通して、このＴ字ジョイント２５よりも上側に突出している。Ｔ字ジョイント２５には採水チューブ２７が接続され、この採水チューブ２７は、空洞部２６に連通されるとともに、Ｔ字ジョイント２５への接続部とは反対側においてチューブ内部の水を取り出し可能とされている。Ｔ字ジョイント２５よりも上側に突出した内側管１６も、その内部の水を取り出し可能とされている。
【００１８】
このような構成において、水道管１の内部の縣濁物を捕集する採には、水道管１を断水することなしに、開閉弁５を閉じて、この開閉弁５の取付フランジ６に本来接続されていた消火栓などの機器を取り外し、その代わりに採水パイプ１３を保持した止水リング１２を取付フランジ６に接続する。続いて、開閉弁５を開いて、止水リング１２と採水パイプ１３とのシール状態を保ちながら、採水パイプ１３の先端部を、開閉弁５および分岐管４を通して水道管１の内部へ送り込む。
【００１９】
図１および図２は、この送り込みが完了した状態を示す。これによって、上述のように、外側管１４の開口部１７が水道管１の内部における上側の部分で開口し、中間管１６の開口部１８が水道管１の中心部に対応した位置で開口し、内側管１６の開口部１９が水道管１の内部における下側の部分で開口する。
【００２０】
すなわち、水道管１の内部における上側の部分に存在する水は、水圧の作用によって開口部１７から外側管１４の内部に入り込み、外側管１４の内部を通過してＴ字ジョイント２１の空洞部２２に入り込み、採水チューブ２３を通って外部に取り出される。水道管１の内部における管１の中央部に存在する水は、同様に開口部２４から中間管１５の内部に入り込み、中間管１５の内部を通過してＴ字ジョイント２５の空洞部２６に入り込み、採水チューブ２７を通って外部に取り出される。水道管１の内部における下側の部分に存在する水は、内側管１６の開口部１９からその内部に入り込み、この内側管１６を通って外部に取り出される。
【００２１】
これによれば、多重管構造の採水パイプ１３を１本用いるだけの簡単な構成で、水道管１の内部における鉛直方向に沿って異なる位置でそれぞれ水を採水することができ、その水に含まれる縣濁物を採取することができる。よって、そのための作業は比較的容易に行うことができる。
【００２２】
外側管１４と中間管１５と内側管１６とは、適当な手段によって相互に固定しておくことが必要であるが、採水パイプ１３の長さ方向に沿った管１４、１５、１６どうしの位置を相互に変更可能として、この採水パイプ１３の長さ方向に沿った開口部１７、１８、１９の位置を互いに変更可能とすることにより、水道管１の内部における任意の３か所の位置から採水することができる。かつ口径の異なる他の水道管にも対応することができる。
【００２３】
水道管１の内部の水圧の作用によって採水パイプ１３が抜け出すような事故が発生しても、それによってただちに開閉弁５を閉じることができて、水道管１からの水の流出を最小限に抑えて即座に対応することができる。
【００２４】
作業が完了した後は、採水パイプ１３の先端部を水道管１から引き上げて開閉弁５を閉じ、採水パイプ１３を保持した状態の止水リング７を取付フランジ６から取り外して、消火栓などの機器を元通りに取付フランジ６に取り付ける。
【図面の簡単な説明】
【００２５】
【図１】本発明の実施の形態の水道管内における縣濁物の捕集装置の概略構成を示す図である。
【図２】図１に示す部分の要部の側面視の断面図である。
【図３】従来の水道管内における縣濁物の捕集装置の概略構成を示す図である。
【符号の説明】
【００２６】
１    水道管
１２    止水リング
１３    採水パイプ
１４    外側管
１５    中間管
１６    内側管
１７    開口部
１８    開口部
１９    開口部
２０    開口部
２１    Ｔ字ジョイント
２４    開口部
２５    Ｔ字ジョイント
【図１】
2006284178.tif 000003
【図２】
2006284178.tif 000004
【図３】
2006284178.tif 000005